(57)【要約】【課題】聴取者のリスニング環境や好み等に応じてスピーカ１の設置位置を適宜変更することができ、また、スピーカ１の振動を外部に伝えることなく音質の良い出力が行えるようにスピーカ１を設置することができ、また、地震等の揺れに対する転倒防止効果を高めることのできる音響器機用スタンド１０を提供すること。【解決手段】スピーカ１を据え置くためのスピーカ載置部１１ｂと、スピーカ１を吊り下げるワイヤ１３を取り付けるための取付孔１１ａとを備えた天板部１１と、天板部１１下方にスピーカ１を吊り下げることのできる空間が形成される形態で天板部１１に接続された脚部１２とを装備する。【選択図】  図１
2004289568.tif 000002
【特許請求の範囲】
【請求項１】
スピーカを据え置くためのスピーカ載置部と前記スピーカを吊り下げる吊下げ用部材を取り付けるための吊下げ用部材取付手段とを備えた天板部と、
該天板部下方に前記スピーカを吊り下げることのできる空間が形成される形態で前記天板部に接続された天板支持部とを備えていることを特徴とする音響機器用スタンド。
【請求項２】
前記吊下げ用部材取付手段が、前記吊下げ用部材を取り付けるための１以上の取付孔からなること特徴とする請求項１記載の音響機器用スタンド。
【請求項３】
前記吊下げ用部材取付手段が、前記吊下げ用部材を掛止させるための掛止部からなること特徴とする請求項１記載の音響機器用スタンド。
【請求項４】
前記天板支持部が、少なくとも３本以上の脚部からなることを特徴とする請求項１〜３のいずれかの項に記載の音響機器用スタンド。
【請求項５】
前記脚部の各々が、前記天板部の高さ位置を調節するための高さ調節手段を備えていることを特徴とする請求項４記載の音響機器用スタンド。
【請求項６】
前記脚部の各々の所定箇所に前記脚部に伝わる振動を吸収する振動吸収手段が設けられていることを特徴とする請求項４又は請求項５記載の音響機器用スタンド。
【請求項７】
前記天板支持部が、前記天板部の周縁部から所定領域を除いて延設された側壁部からなることを特徴とする請求項１〜３のいずれかの項に記載の音響機器用スタンド。
【請求項８】
スピーカを据え置くためのスピーカ載置部を備えた天板部と、
該天板部下方にスピーカを吊り下げることのできる空間が形成される形態で前記天板部に接続された天板支持部とを備え、
該天板支持部に前記スピーカを吊り下げる吊下げ用部材を取り付けるための吊下げ用部材取付手段が設けられていることを特徴とする音響機器用スタンド。
【請求項９】
前記天板支持部が、少なくとも３本以上の脚部からなり、  前記吊下げ用部材取付手段が、前記吊下げ用部材を掛止させるために前記脚部の各々に設けられる掛止部からなることを特徴とする請求項８記載の音響機器用スタンド。
【請求項１０】
前記天板支持部が、前記天板部の周縁部から所定領域を除いて延設された側壁部からなり、
前記吊下げ用部材取付手段が、少なくとも１組が対向位置関係になるように前記側壁部に形成された２以上の取付孔からなることを特徴とする請求項８記載の音響機器用スタンド。
【発明の詳細な説明】
【０００１】
【発明の属する技術分野】
本発明は音響機器用スタンドに関し、より詳細にはスピーカ等の音響機器を設置することのできる音響機器用スタンドに関する。
【０００２】
【従来の技術】
従来、ホームオーディオ用のスピーカ（磁気回路部と振動板とを含んで構成されるスピーカユニットがキャビネット（エンクロージャーとも言う）に取り付けられたもの）は、オーディオラックやスピーカ用スタンド等に据え置かれるようになっていた。前記スピーカ用スタンドには、台型、Ｈ型、ブロック型、三脚型等種々の形態のものが知られているが、これらはいずれもスピーカをスピーカ用スタンドの上に載せて使用するものであった。
【０００３】
また、天井や壁面にスピーカを配設することのできる吊り下げおよび壁掛けタイプのスピーカ用スタンドも提案されている（例えば、下記の特許文献１参照）。
【０００４】
【特許文献１】
特開平１１−４６３９２号公報
【０００５】
【発明が解決しようとする課題】
しかしながら、従来のスピーカ用スタンドは、スピーカをスタンドの上に載せて使用するだけの機能しかなく、スピーカの配設位置（高さ等）を聴取者のリスニングポイントに応じて変更したい等の聴取者ニーズに応えられるものではなく、スピーカの設置方法のバリエーションに欠けているという課題があった。
【０００６】
また、スピーカをスピーカ用スタンドの上に載せた状態や、上記特許文献１におけるスピーカに固定される固定部材やアーム等を介して天井に吊り下げた状態では、スピーカの振動が直接スタンドや固定部材やアームに伝わってしまうためにスピーカ自体の振動を取り除くことができず、音質が劣化してしまうという課題があった。
【０００７】
また、スピーカをスピーカ用スタンドの上に載せた状態では、安定性が悪いために、地震等の揺れに弱く、比較的弱い揺れでもスピーカ用スタンドが転倒、もしくはスピーカのみ落下してしまうこともあり、従来のスピーカ用スタンドは、地震等の比較的大きな揺れに対して転倒や落下を防止する効果が低いという課題があった。
【０００８】
本発明は上記課題に鑑みなされたものであって、聴取者のリスニング環境や好み等に応じてスピーカの設置位置を適宜変更することができ、また、スピーカの振動を外部に伝えることなく音質の良い出力が行えるようにスピーカを設置することができ、また、地震等の揺れに対する転倒防止効果を高めることのできる音響器機用スタンドを提供することを目的としている。
【０００９】
【課題を解決するための手段及びその効果】
上記目的を達成するために本発明に係る音響器機用スタンド（１）は、スピーカを据え置くためのスピーカ載置部と、前記スピーカを吊り下げる吊下げ用部材を取り付けるための吊下げ用部材取付手段とを備えた天板部と、該天板部下方に前記スピーカを吊り下げることのできる空間が形成される形態で前記天板部に接続された天板支持部とを備えていることを特徴としている。
【００１０】
上記音響器機用スタンド（１）によれば、前記天板部の前記スピーカ載置部に前記スピーカを据え置いたり、前記吊下げ用部材取付手段に前記吊下げ用部材を取り付けて前記スピーカを前記天板部下方に吊り下げて配設することができる。したがって、据え置き又は吊り下げの２種類の設置方法から聴取者のリスニング環境や好み等に応じて、設置方法を適宜選択することができるようになり、前記スピーカの設置位置のバリエーションを増やすことができる。
【００１１】
また、前記スピーカを吊り下げて設置、すなわち、前記スピーカを前記天板部下方に前記吊下げ用部材を介して浮遊状態とすることにより、前記スピーカの不要振動が前記天板部に直接伝わらなくなるため、前記不要振動による音の濁りを抑制することができ、前記スピーカから出力される音質を向上させることができる。
【００１２】
さらに、前記スピーカを吊り下げて設置すると、前記スピーカの重心位置が低くなるとともに前記吊下げ用部材により重心位置のバランスが取られるので、地震等の大きな揺れが生じたときに、前記吊り下げ用部材により揺れが吸収され、前記スピーカ自体の重心位置の変動を抑制することができ、地震等による大きな揺れが生じたときに転倒する危険性を小さくすることができ、前記スピーカの転倒防止効果を高めることができる。
【００１３】
なお、前記吊下げ用部材には、金属製のワイヤ、化学繊維など、前記スピーカを吊り下げるのに十分な耐久性を備えた糸状部材を使用することが好ましい。さらに、前記糸状部材には、スピーカ自体の振動を効率よく吸収できるようなゴム等の弾性部材をその一部又は全部に使用してもよい。
【００１４】
また本発明に係る音響器機用スタンド（２）は、上記音響器機用スタンド（１）において、前記吊下げ用部材取付手段が、前記吊下げ用部材を取り付けるための１以上の取付孔からなること特徴としている。
【００１５】
上記音響器機用スタンド（２）によれば、前記吊下げ用部材取付手段が、前記吊下げ用部材を取り付けるための１以上の取付孔からなるので、前記取付孔に前記吊下げ用部材を通して該吊下げ用部材の両端又は一端部を前記スピーカに取り付けることにより、前記スピーカを前記天板部下方に前記吊下げ用部材を介して確実に配設することができる。また、取付孔を設けるだけでよいので、新たな部品等を取り付ける必要もなく、コストアップも抑えることができる。
【００１６】
なお、前記取付孔の数や形成箇所は、前記スピーカの形状や重量に応じて適宜設定すればよい。また、前記取付孔の大きさは、前記吊下げ用部材を通すことができる大きさであればよい。また、前記取付孔の形状は、例えば、前記天板部の上下面を貫通する孔や、前記天板部の下面から下面につながる半円弧状の孔などの形状とすることができる。
【００１７】
また本発明に係る音響器機用スタンド（３）は、上記音響器機用スタンド（１）において、前記吊下げ用部材取付手段が、前記吊下げ用部材を掛止させるための掛止部からなること特徴としている。
上記音響器機用スタンド（３）によれば、前記掛止部に前記吊下げ用部材を掛止させることにより、前記スピーカを前記天板部下方に前記吊下げ用部材を介して簡単かつ確実に配設することができる。
【００１８】
また本発明に係る音響器機用スタンド（４）は、上記音響器機用スタンド（１）〜（３）のいずれかにおいて、前記天板支持部が、少なくとも３本以上の脚部からなることを特徴としている。
上記音響器機用スタンド（４）によれば、少なくとも３本以上の脚部により前記天板部を安定した形態で支持することができる。
【００１９】
また本発明に係る音響器機用スタンド（５）は、上記音響器機用スタンド（４）において、前記脚部の各々が、前記天板部の高さ位置を調節するための高さ調節手段を備えていることを特徴としている。
【００２０】
上記音響器機用スタンド（５）によれば、前記高さ調節手段により前記天板部の高さ位置を調節することができ、前記天板部上面に据え置かれたスピーカ又は前記天板部下方に吊り下げられたスピーカの高さ位置を聴取者のリスニング環境や好みに合わせて適宜調節することができ、調節範囲を広くすることができる。
【００２１】
また本発明に係る音響器機用スタンド（６）は、上記音響器機用スタンド（４）又は（５）において、前記脚部の各々の所定箇所に前記脚部に伝わる振動を吸収する振動吸収手段が設けられていることを特徴としている。
【００２２】
上記音響器機用スタンド（６）によれば、前記振動吸収手段により地震等の揺れが生じたときに前記脚部に伝わる振動を効果的に吸収することができ、地震等の揺れに対する安定性を一層向上させることができる。なお、前記振動吸収手段としては、例えばゴム、バネ、樹脂、又は合金等を使用することができる。
【００２３】
また本発明に係る音響器機用スタンド（７）は、上記音響器機用スタンド（１）〜（３）のいずれかにおいて、前記天板支持部が、前記天板部の周縁部から所定領域を除いて延設された側壁部からなることを特徴としている。
【００２４】
上記音響器機用スタンド（７）によれば、前記天板支持部が、前記天板部の周縁部から所定領域を除いて延設された側壁部からなるので、前記天板部下面から前記吊下げ用部材を介して吊り下げられたスピーカの周囲（但し、少なくとも音声出力面は除く）を前記側壁部で囲むことができ、スタンドの剛性を高めることができ、前記天板部上に設置可能な最大許容重量を上げることができる。
【００２５】
したがって、例えば、前記天板部の面積を広くすることにより、複数のスピーカを前記天板部下面から前記吊下げ用部材を介して吊り下げたり、アンプやデッキ類を前記天板上に搭載可能な音響機器システムラックとして利用することもできる。
【００２６】
また本発明に係る音響器機用スタンド（８）は、スピーカを据え置くためのスピーカ載置部を備えた天板部と、該天板部下方にスピーカを吊り下げることのできる空間が形成される形態で前記天板部に接続された天板支持部とを備え、該天板支持部に前記スピーカを吊り下げる吊下げ用部材を取り付けるための吊下げ用部材取付手段が設けられていることを特徴としている。
上記音響器機用スタンド（８）によれば、前記天板支持部に前記吊下げ用部材取付手段を設けることによっても、上記音響器機用スタンド（１）と略同様な効果を得ることができる。
【００２７】
また本発明に係る音響器機用スタンド（９）は、上記音響器機用スタンド（８）において、前記天板支持部が、少なくとも３本以上の脚部からなり、前記吊下げ用部材取付手段が、前記吊下げ用部材を掛止させるために前記脚部の各々に設けられる掛止部からなることを特徴としている。
【００２８】
上記音響器機用スタンド（９）によれば、前記脚部の各々に設けられた前記掛止部に前記吊下げ用部材を掛止させることにより、前記スピーカを前記天板部下面に吊り下げることができる。なお、前記掛止部には、前記脚部に後付けされるフックや前記吊下げ用部材を掛止できるように前記脚部に形成された凹部などを採用することができる。
【００２９】
また本発明に係る音響器機用スタンド（１０）は、上記音響器機用スタンド（８）において、前記天板支持部が、前記天板部の周縁部から所定領域を除いて延設された側壁部からなり、前記吊下げ用部材取付手段が、少なくとも１組が対向位置関係になるように前記側壁部に形成された２以上の取付孔からなることを特徴としている。
【００３０】
上記音響器機用スタンド（１０）によれば、前記側壁部に形成された前記取付孔に前記吊下げ用部材を取り付けて、前記スピーカを前記天板部下方に吊り下げることができ、上記音響器機用スタンド（７）と略同様の効果を得ることができる。
【００３１】
【発明の実施の形態】
以下、本発明に係る音響機器用スタンドの実施の形態を図面に基づいて説明する。図１は、実施の形態（１）に係る音響機器用スタンドを模式的に示した図であり、（ａ）〜（ｃ）は、スピーカ１を天板部１１下方に吊り下げて設置したときの図であり、（ａ）は平面図、（ｂ）は正面図、（ｃ）は側面図を示している。また、（ｄ）はスピーカ１を天板部１１上面に設置したときの正面図を示している。
【００３２】
音響機器用スタンド１０は、平面視逆Ｕ形状の天板部１１と、天板部１１にねじ止め等の方法により接続された３本の円筒状の脚部１２とを含んで構成されている。天板部１１と脚部１２とは、天然木や合板等の木材、アルミや軽金属等の金属、プラスチック、又はカーボンファイバーなどから構成されている。
【００３３】
天板部１１の平面視略中央部分には、スピーカ１を吊り下げる金属製のワイヤ１３を取り付けるための取付孔１１ａが３箇所形成されている。また、天板部１１上面は、スピーカ１を据え置くことができるスピーカ載置部１１ｂになっている。
【００３４】
また、脚部１２は、大小２本の筒体が嵌合されたものから構成され、脚部１２の各々には、ストッパ１２ｂを含むスライド機構１２ａが設けられており、前記２本の筒体をスライドさせることにより天板部１１の高さを任意に調節することができるようになっている。
【００３５】
このように音響機器用スタンド１０は、天板部１１上面のスピーカ載置部１１ｂにスピーカ１を据え置ける機能と、天板部１１下方にスピーカ１を吊り下げて設置できる機能とを備えている。
【００３６】
また、スピーカ１は、スピーカユニット（図示せず）が内蔵された卵形状の本体部１ａと、本体部１ａと一体的に形成されたスタンド部１ｂとから構成されている。スタンド部１ｂの底面には、天板部１１の取付孔１１ａを通して吊り下げられたワイヤ１３の先端部を取り付けるためのワイヤ取付孔（図示せず）が形成されている。なお、本実施の形態で使用されているスピーカ１は、タイムドメイン（時間領域）理論に基づいて設計されたものであり、スピーカユニットがグランドアンカー（図示せず）により支持され、スピーカユニットとエンクロージャーとが接触しないようにフローティング構造が採用されたものである。もちろん、ごく一般的な周波数領域理論に基づいて設計されたスピーカを使用してもよい。
【００３７】
次に音響機器用スタンド１０へのスピーカ１の設置方法について説明する。
まず、天板部１１下方にスピーカ１を吊り下げて設置する場合、付属されている３本のワイヤ１３の各々を天板部１１に形成された３つの取付孔１１ａのうちの２つをまたぐようにそれぞれ通し（図１（ａ）参照）、取付孔１１ａを通して吊り下げられたワイヤ１３の各々の両端部をスピーカ１のスタンド部１ｂに設けられているワイヤ取付孔にバランス等（スピーカ出力面の向き等）を考慮して取り付ける（図１（ｂ）、（ｃ）参照）。
また、天板部１１上面にスピーカ１を設置する場合、スピーカ１のスタンド部１ｂをスピーカ載置部１１ｂに据え置く（図１（ｄ）参照）。
【００３８】
上記実施の形態（１）に係る音響機器用スタンド１０によれば、天板部１１のスピーカ載置部１１ｂにスピーカ１を据え置いたり、取付孔１１ａにワイヤ１３を取り付けてスピーカ１を天板部１１下方に吊り下げて設置することができる。したがって、据え置き又は吊り下げの２種類の設置方法から聴取者のリスニング環境や好み等に応じて、設置方法を適宜選択することができるようになり、スピーカ１の設置位置のバリエーションを増やすことができる。
【００３９】
また、スピーカ１を吊り下げて設置、すなわち、スピーカ１を天板部１１下方にワイヤ１３を介して浮遊状態とすることにより、スピーカ１の不要振動が天板部１１に直接伝わらなくなるため、前記不要振動による音の濁りを抑制することができ、スピーカ１から出力される音質を向上させることができる。
【００４０】
さらに、スピーカ１を吊り下げ設置すると、スピーカ１の重心位置が低くなるとともにワイヤ１３により重心位置のバランスが取られるので、地震等の大きな揺れが生じたときに、ワイヤ１３により揺れが効果的に吸収され、スピーカ１自体の重心位置の変動を抑制することができ、地震等による大きな揺れが生じたときに転倒する危険性を小さくすることができ、スピーカ１の転倒防止効果を高めることができる。
【００４１】
なお、上記実施の形態（１）に係る音響機器用スタンド１０では、吊下げ用部材として金属製のワイヤ１３が使用されているが、その他化学繊維など、スピーカ１を吊り下げるのに十分な耐久性を備えた糸状部材を使用してもよい。さらに、前記糸状部材には、スピーカ自体の振動を効率よく吸収できるようなゴム等の弾性部材をその一部（例えば、ワイヤ１３を弾性部材で覆ったものなど）又は全部に使用することにより、スピーカ１の不要振動をより一層伝えにくいようにすることができる。
【００４２】
また、実施の形態（１）に係る音響機器用スタンド１０では、脚部１２が天板部１１に開いた状態のまま固定されている場合について説明したが、別の実施の形態では、脚部１２を開閉できる構造としてもよい。
【００４３】
また、実施の形態（１）に係る音響機器用スタンド１０では、天板部１１として平面視Ｕ形状のもの使用しているが、天板部１１の形状は、スピーカ１を据え置くことのできる形状であればどのような形状でもよく、脚部１２の本数やスピーカ１の大きさ等を考慮して適宜設定すればよい。
【００４４】
図２は、実施の形態（２）に係る音響機器用スタンドを模式的に示した図であり、（ａ）〜（ｃ）は、スピーカ１を天板部１１下方に吊り下げ設置したときの図であり、（ａ）は平面図、（ｂ）は正面図、（ｃ）は側面図である。但し実施の形態（２）に係る音響機器用スタンド１０Ａの構成については、天板部１１Ａと、脚部１２Ａとを除いて図１に示した音響機器用スタンド１０と略同様であるため、天板部１１Ａと、脚部１２Ａとには異なる符号を付し、その他の同一機能を有する構成部品には同一符号を付して、その説明を省略する。
【００４５】
実施の形態（２）に係る音響機器用スタンド１０Ａが実施の形態（１）に係る音響機器用スタンド１０と相違するのは、実施の形態（１）に係る音響機器用スタンド１０では、天板部１１に設けられる吊下げ用部材取付手段として取付孔１１ａが形成されているが、実施の形態（２）に係る音響機器用スタンド１０Ａでは、前記吊下げ用部材取付手段として掛止部１１ｃが設けられている点と、脚部１２Ａに、耐震性を一層高めるための振動吸収部材１２ｃが設けられている点とにある。
【００４６】
音響機器用スタンド１０Ａは、平面視逆Ｕ形状の天板部１１Ａと、天板部１１Ａに接続された３本の円筒状の脚部１２Ａとを含んで構成されている。天板部１１Ａ下面側略中央部分には、ワイヤ１３を取り付けるための掛止部１１ｃが３箇所設けられている。掛止部１１ｃは、例えば、金属製のフック等から構成されており、天板部１１Ａの下面側からねじ止めされるようになっている。
【００４７】
また、脚部１２Ａの各々の床面との接触部分には、振動吸収部材１２ｃが設けられている。振動吸収部材１２ｃは、地震等による揺れに対して、揺れによる振幅を吸収できる材質のものから構成されており、例えば、振動吸収性のあるバネ、ゴム、又は樹脂などの弾性体が採用される。
【００４８】
次に音響機器用スタンド１０Ａへのスピーカ１の取り付け方法について説明する。なお、天板部１１Ａ上面へのスピーカ１の取り付け方法は、実施の形態（１）に係る音響機器用スタンド１０と同様であるのでここでは、天板部１１下方にスピーカ１を吊り下げて設置する場合についてのみ説明する。
【００４９】
天板部１１Ａ下面に設けられた３箇所の掛止部１１ｃの各々に、ワイヤ１３の一端を取り付け、各ワイヤ１３の他端をスピーカ１のスタンド部１ｂに設けられたワイヤ取付孔にバランス等（スピーカ出力面の向き等）を考慮して取り付ける（図２（ｂ）、（ｃ）参照）。
【００５０】
上記実施の形態（２）に係る音響機器用スタンド１０Ａによれば、掛止部１１ｃにワイヤ１３を掛止させることにより、スピーカ１を天板部１１Ａ下方にワイヤ１３を介して簡単かつ確実に配設することができる。また、上記実施の形態（１）に係る音響機器用スタンド１０のように取付孔１１ａが形成されていないので、天板部１１Ａの外観を良くすることができ、また、音響機器用スタンド１０と比べて約半分の長さのワイヤ１３でスピーカ１を吊り下げて設置することができる。
【００５１】
図３は、実施の形態（３）に係る音響機器用スタンドを模式的に示した図であり、（ａ）〜（ｃ）は、スピーカ１を天板部１１Ｂ下方に吊り下げて設置したときの図であり、（ａ）は平面図、（ｂ）は正面図、（ｃ）は側面図を示している。但し実施の形態（３）に係る音響機器用スタンド１０Ｂの構成については、天板部１１Ｂと、脚部１２Ｂとを除いて図１に示した音響機器用スタンド１０と略同様であるため、ここでは天板部１１Ｂと、脚部１２Ｂとには異なる符号を付し、その他の同一機能を有する構成部品には同一符号を付して、その説明を省略する。
【００５２】
実施の形態（３）に係る音響機器用スタンド１０Ｂが実施の形態（１）に係る音響機器用スタンド１０と相違するのは、実施の形態（１）に係る音響機器用スタンド１０では、吊下げ用部材取付手段である取付孔１１ａが天板部１１に設けられているが、実施の形態（３）に係る音響機器用スタンド１０Ｂでは、前記吊下げ用部材取付手段が脚部１２Ｂに設けられている点にある。
【００５３】
音響機器用スタンド１０Ｂは、平面視逆Ｕ形状の天板部１１Ｂと、天板部１１Ｂに接続された３本の筒形状の脚部１２Ｂとを含んで構成されている。脚部１２Ｂの各々には、天板部１１Ｂとの接続部近傍位置の外周部分にワイヤ１３を引っ掛けて固定するための凹部１２ｄ（掛止部）が形成されている。
【００５４】
次に音響機器用スタンド１０Ｂへのスピーカ１の取り付け方法について説明する。なお、天板部１１Ｂ上面へのスピーカ１の取り付け方法は、実施の形態（１）に係る音響機器用スタンド１０と同様であるのでここでは天板部１１Ｂ下方にスピーカ１を吊り下げて設置する場合についてのみ説明する。
【００５５】
まず、３本の脚部１２Ｂの各々に設けられた凹部１２ｄに、各ワイヤ１３の長さ方向の略中心部分を引っ掛けるように配置して、各ワイヤ１３の両端をスピーカ１のスタンド部１ｂに設けられたワイヤ取付孔にバランス等（スピーカ出力面の向き等）を考慮して取り付ける（図３（ｂ）、（ｃ）参照）。このようにすればワイヤ１３にスピーカ１の重さにより内側斜め下方に荷重がかかることにより、各凹部１２ｄに各ワイヤ１３が確実に掛止され、スピーカ１がバランスよく吊り下げられる。
【００５６】
上記実施の形態（３）に係る音響機器用スタンド１０Ｂによれば、脚部１２Ｂの各々に吊下げ用部材取付手段としての凹部１２ｄを設けることによって、凹部１２ｄにワイヤ１３を掛止させることができ、スピーカ１を天板部１１Ｂ下面に吊り下げることができ、上記実施の形態（１）に係る音響器機用スタンド１０と略同様な効果を得ることができる。
【００５７】
なお、上記実施の形態（３）に係る音響機器用スタンド１０Ｂでは、掛止部として凹部１２ｄが採用されているが、別の実施の形態では、前記掛止部として、天板部１１Ｂとの接続部近傍位置の内側部分に後付けされたフックなどを採用することもできる。
【００５８】
図４は、実施の形態（４）に係る音響機器用スタンドを模式的に示した図であり、（ａ）〜（ｄ）は、スピーカ１を天板部１１Ｃ下方に吊り下げ設置したときの図であり、（ａ）は平面図、（ｂ）は（ａ）におけるＢ−Ｂ線断面図、（ｃ）は正面図、（ｄ）は（ｃ）におけるＤ−Ｄ線断面図、（ｅ）はスピーカ１が天板部１１Ｃ上面に設置されたときの正面図を示している。
【００５９】
音響機器用スタンド１０Ｃは、平面視正方形形状の天板部１１Ｃと、天板部１１Ｃの一側面（スピーカ出力面）を除く下面側周縁部から鉛直方向に延設された側壁部１４とを含んで構成されている。天板部１１Ｃと側壁部１４とには、合板や天然木等の木材やプラスチックなどが採用される。
【００６０】
天板部１１Ｃ下面には、スピーカ１を吊り下げるワイヤ１３を通すための半円弧状の取付孔１１ｄが２箇所並列に設けられている。また、天板部１１Ｃ上面は、スピーカ１Ａを据え置くことができるスピーカ載置部１１ｂになっている。このように音響機器用スタンド１０Ｃは、天板部１１Ｃ上面のスピーカ載置部１１ｂにスピーカ１を据え置ける機能と、天板部１１Ｃ下方に吊り下げて設置できる機能とを備えている。
【００６１】
次に音響機器用スタンド１０Ｃへのスピーカ１の取り付け方法について説明する。なお、天板部１１Ｃ上面へのスピーカ１の取り付け方法は、実施の形態（１）に係る音響機器用スタンド１０と同様であるのでここでは、天板部１１Ｃ下方にスピーカ１を吊り下げて設置する場合についてのみ説明する。
【００６２】
まず、２本のワイヤ１３を取付孔１１ｄにそれぞれ通し（図４（ｂ）参照）、取付孔１１ｄを通して吊り下げられたワイヤ１３の各々の両端部をスピーカ１のスタンド部１ｂに設けられたワイヤ取付孔にバランス等を考慮して取り付ける（図４（ｃ）、（ｄ）参照）。
【００６３】
上記実施の形態（４）に係る音響機器用スタンド１０Ｃによれば、天板支持部が、天板部１１Ｃの周縁部からスピーカ出力面を除いて延設された側壁部１４からなるので、天板部１１Ｃ下面からワイヤ１３を介して吊り下げられたスピーカ１の周囲（但し、少なくとも音声出力面は除く）を側壁部１４で囲むことができ、音響機器用スタンド１０Ｃの剛性を高めることができ、天板部１１Ｃ上に設置可能な最大許容重量を上げることができる。
【００６４】
したがって、例えば、天板部１１Ｃの面積をさらに広くすることにより、複数のスピーカ１を天板部１１Ｃ下面からワイヤ１３を介して吊り下げて設置可能な構造にしたり、アンプやデッキなどの他の音響機器を天板部１１Ｃ上に搭載可能な音響機器システムラックとして利用することもできる。
【００６５】
さらに、別の実施の形態では、天板部１１Ｃの四隅に天井取付孔を設け、天板部１１Ｃ下面側からねじ等の取付具を前記天井取付孔に差し込んで天井に配設可能な構造とすることもでき、さらに設置方法のバリエーションを増やすこともできる。
【００６６】
図５は、実施の形態（５）に係る音響機器用スタンドを模式的に示した図であり、（ａ）〜（ｃ）は、スピーカ１を天板部１１Ｄ下方に吊り下げて設置したときの図であり、（ａ）は平面図、（ｂ）は正面図、（ｃ）は、（ｂ）におけるＣ−Ｃ線断面図、（ｄ）は側面図を示している。
【００６７】
但し実施の形態（５）に係る音響機器用スタンド１０Ｄの構成については、天板部１１Ｄと、側壁部１４Ａとを除いて図４に示した音響機器用スタンド１０Ｃと略同様であるため、ここでは異なる機能を有する天板部１１Ｄと、側壁部１４Ａとには異なる符号を付し、その他の同一機能を有する構成部品には同一符号を付して、その説明を省略する。
【００６８】
実施の形態（５）に係る音響機器用スタンド１０Ｄが実施の形態（４）に係る音響機器用スタンド１０Ｃと相違するのは、実施の形態（４）に係る音響機器用スタンド１０Ｃでは、吊下げ用部材取付手段である取付孔１１ｄが天板部１１Ｃに設けられているが、実施の形態（５）に係る音響機器用スタンド１０Ｄでは、前記吊下げ用部材取付手段が側壁部１４Ａに設けられている点にある。
【００６９】
音響機器用スタンド１０Ｄは、平面視正方形形状の天板部１１Ｄと、天板部１１Ｄの一側面（スピーカ出力面）を除く下面側周縁部から鉛直方向に延設された側壁部１４Ａとを含んで構成されている。正面視左右に向かい合う側壁部１４Ａの各々には、天板部１１Ｄとの接続部近傍位置にワイヤ１３を取り付けるための取付孔１４ａが外側から内側に傾斜するように設けられている。
【００７０】
次に音響機器用スタンド１０Ｄへのスピーカ１の設置方法について説明する。なお、天板部１１Ｄ上面へのスピーカ１の取り付け方法は、実施の形態（１）に係る音響機器用スタンド１０と同様であるのでここでは、天板部１１Ｄ下方にスピーカ１を吊り下げて設置する場合についてのみ説明する。
【００７１】
正面視左右の側壁部１４Ａに設けられた各々の取付孔１４ａにワイヤ１３をそれぞれ通し、各ワイヤ１３の両端部をスピーカ１のスタンド部１ｂのワイヤ取付孔にバランス等を考慮して取り付ける（図５（ｂ）、（ｃ）参照）。
【００７２】
上記実施の形態（５）に係る音響機器用スタンド１０Ｄによれば、側壁部１４Ａに形成された取付孔１４ａにワイヤ１３を取り付けて、スピーカ１を天板部１１Ｄ下方に吊り下げることができ、上記実施の形態（４）に係る音響器機用スタンド１０Ｃと略同様の効果を得ることができる。
【図面の簡単な説明】
【図１】本発明の実施の形態（１）に係る音響機器用スタンドを模式的に示した図であり、（ａ）〜（ｃ）は、スピーカを天板部下方に吊り下げて設置したときの図であり、（ａ）は平面図、（ｂ）は正面図、（ｃ）は側面図である。また（ｄ）はスピーカを天板部上面に設置したときの正面図である。
【図２】実施の形態（２）に係る音響機器用スタンドを模式的に示した図であり、（ａ）〜（ｃ）は、スピーカを天板部下方に吊り下げて設置したときの図であり、（ａ）は平面図、（ｂ）は正面図、（ｃ）は側面図である。
【図３】実施の形態（３）に係る音響機器用スタンドを模式的に示した図であり、（ａ）〜（ｃ）は、スピーカを天板部下方に吊り下げて設置したときの図であり、（ａ）は平面図、（ｂ）は正面図、（ｃ）は側面図である。
【図４】実施の形態（４）に係る音響機器用スタンドを模式的に示した図であり、（ａ）〜（ｃ）は、スピーカを天板部下方に吊り下げて設置したときの図であり、（ａ）は平面図、（ｂ）は（ａ）におけるＢ−Ｂ線断面図、（ｃ）は正面図、（ｄ）は（ｃ）におけるＤ−Ｄ線断面図である。また（ｅ）はスピーカを天板部上面に設置した場合の正面図を示している。
【図５】実施の形態（５）に係る音響機器用スタンドを模式的に示した図であり、（ａ）〜（ｃ）は、スピーカを天板部下方に吊り下げて設置したときの図であり、（ａ）は平面図、（ｂ）は正面図、（ｃ）は（ｂ）におけるＣ−Ｃ線断面図、（ｄ）は側面図である。
【符号の説明】
１  スピーカ
１０、１０Ａ〜１０Ｄ  音響機器用スタンド
１１、１１Ａ〜１１Ｄ  天板部
１１ａ  取付孔
１１ｂ  スピーカ載置部
１２、１２Ａ、１２Ｂ  脚部
１３  ワイヤ
【図１】
2004289568.tif 000003
【図２】
2004289568.tif 000004
【図３】
2004289568.tif 000005
【図４】
2004289568.tif 000006
【図５】
2004289568.tif 000007